(57)【特許請求の範囲】
【請求項１】
ポータブル電子デバイスのデモンストレーション用フィクスチャであって、
ディスプレイと、
前記ディスプレイに連結された電源であり、バッテリを含む当該電源を含むベースと、
前記ベースに連結され、かつ前記ポータブル電子デバイスを前記ベースに対して定位置に固定するように構成された昇降型アタッチメントと、
前記ポータブル電子デバイスを前記電源に連結するように構成された前記昇降型アタッチメントによって少なくとも部分的に遮蔽されたケーブルと、
を備えるデモンストレーション用フィクスチャ。
【請求項２】
前記ベースが、
ケーブルを介して前記ディスプレイに連結され、かつ前記ポータブル電子デバイスに連結されたプロセッサを更に含む、請求項１に記載のデモンストレーション用フィクスチャ。
【請求項３】
前記プロセッサが、前記電源からの電力を前記ポータブル電子デバイスへと向けるように構成されている、請求項２に記載のデモンストレーション用フィクスチャ。
【請求項４】
前記ポータブル電子デバイスがウェアラブルデバイスを含む、請求項１に記載のデモンストレーション用フィクスチャ。
【請求項５】
前記ベースが、
ディスプレイウィンドウを含む上面と、底面と、を含む筐体を更に含み、
前記ディスプレイが、前記ディスプレイウィンドウと整合した前記筐体内に配設されている、請求項１に記載のデモンストレーション用フィクスチャ。
【請求項６】
前記筐体が楔形状となるように前記上面が前記底面に対してある角度で位置付けられている、請求項６に記載のデモンストレーション用フィクスチャ。
【請求項７】
前記上面が、前記昇降型アタッチメントの一部分を受容するサイズの開口を含み、前記昇降型アタッチメントが、前記開口を通じて受容され、前記筐体の内部にファスナで固定される、請求項５に記載のデモンストレーション用フィクスチャ。
【請求項８】
前記ケーブルが、
第１のコネクタと、
第２のコネクタと、
を含み、
前記第１のコネクタが前記プロセッサに電気的に連結するように構成されており、
前記第２のコネクタが、前記ポータブル電子デバイスに電気的に連結するように構成されている、
請求項２に記載のデモンストレーション用フィクスチャ。
【請求項９】
ポータブル電子デバイスのデモンストレーション用フィクスチャであって、
底面と、前記底面に対して鋭角に向けられた上面とを含む筐体を備えたベースと、
前記上面の上に配設されたカバーガラスであって、不透明エリアと、光透過性エリアと、前記不透明エリア内の開口とを含む前記カバーガラスと、
前記筐体内に配設され、前記カバーガラスの前記光透過性エリアの下に位置付けられたディスプレイと、
前記ディスプレイに連結され、前記筐体内に配設されたプロセッサと、
前記筐体内に配置され、且つ前記プロセッサに連結されたバッテリと、
前記ポータブル電子デバイスに連結するように構成された、前記カバーガラスの前記開口内に少なくとも部分的に位置付けられた昇降型アタッチメントと、
前記ポータブル電子デバイスを電源に連結するように構成された前記昇降型アタッチメントによって少なくとも部分的に遮蔽されたケーブルと、
を備え、前記プロセッサが、データケーブルを介して前記ポータブル電子デバイスと通信するデモンストレーション用フィクスチャ。
【請求項１０】
前記ポータブル電子デバイスがバッテリ及びディスプレイを含む、請求項９に記載のデモンストレーション用フィクスチャ。
【請求項１１】
前記ポータブル電子デバイスの前記バッテリが少なくとも選択されたバッテリ閾値まで消耗したと判定すると、前記プロセッサが、電力を、前記ベースの前記バッテリから前記ポータブル電子デバイスへと向けるように構成されている、請求項１０に記載のデモンストレーション用フィクスチャ。
【請求項１２】
前記ポータブル電子デバイスの前記バッテリが少なくとも選択されたバッテリ閾値まで消耗したと判定すると、前記プロセッサが、電力を、前記ベースの前記バッテリから前記ポータブル電子デバイスの前記バッテリへと向けるように構成されている、請求項１０に記載のデモンストレーション用フィクスチャ。
【請求項１３】
前記ポータブル電子デバイスの前記バッテリが少なくとも選択されたバッテリ閾値まで消耗したと判定すると、前記プロセッサが、前記ポータブル電子デバイスの前記バッテリを無効化するように構成されている、請求項１０に記載のデモンストレーション用フィクスチャ。
【請求項１４】
前記ベースが、外部電源に連結し、前記外部電源から電力を受けるように構成されたポートを更に含む、請求項１０に記載のデモンストレーション用フィクスチャ。
【請求項１５】
前記プロセッサが、外部電源からの電力を、前記ベースの前記バッテリ及び前記ポータブル電子デバイスの前記バッテリへと向けるように構成されている、請求項９に記載のデモンストレーション用フィクスチャ。
【請求項１６】
前記ポータブル電子デバイスがウェアラブルデバイスを含む、請求項９に記載のデモンストレーション用フィクスチャ。
【請求項１７】
前記ベースの前記筐体が、前記筐体に対して前記カバーガラスの整合を調整するように構成された整合アジャスタを更に含む、請求項９に記載のデモンストレーション用フィクスチャ。
【請求項１８】
前記整合アジャスタが、前記カバーガラスに付勢力を印加して前記カバーガラスの縁部を前記筐体の側壁と整合させるように構成された回転可能部材を含む、請求項１７に記載のデモンストレーション用フィクスチャ。
【請求項１９】
前記昇降型アタッチメントが前記ポータブル電子デバイスを前記カバーガラスと少なくとも部分的に分離させる、請求項９に記載のデモンストレーション用フィクスチャ。
【発明の詳細な説明】
【技術分野】
【０００１】
［関連出願の相互参照］
本ＰＣＴ出願は、２０１４年２月２８日に出願された「Ｐｒｏｄｕｃｔ  Ｄｅｍｏｎｓｔｒａｔｉｏｎ  Ｆｉｘｔｕｒｅ  ｆｏｒ  ａ  Ｐｏｒｔａｂｌｅ  Ｅｌｅｃｔｒｏｎｉｃ  Ｄｅｖｉｃｅ」と題する米国特許仮出願第６１／９４６，６９１号、２０１４年３月２０日に出願された「Ｐｒｏｄｕｃｔ  Ｄｅｍｏｎｓｔｒａｔｉｏｎ  Ｆｉｘｔｕｒｅ  ｆｏｒ  ａ  Ｐｏｒｔａｂｌｅ  Ｅｌｅｃｔｒｏｎｉｃ  Ｄｅｖｉｃｅ」と題する米国特許仮出願第６１／９６８，２２３号、及び２０１４年９月９日付けの「Ｐｒｏｄｕｃｔ  Ｄｅｍｏｎｓｔｒａｔｉｏｎ  Ｆｉｘｔｕｒｅ  ｆｏｒ  ａ  Ｐｏｒｔａｂｌｅ  Ｅｌｅｃｔｒｏｎｉｃ  Ｄｅｖｉｃｅ」と題する米国特許仮出願第６２／０４８，２０６号に対する優先権を主張するものであり、これらの開示内容の全体が本明細書に組み込まれるものとする。
【０００２】
本明細書に記載の実施形態は、概して小売製品のデモンストレーション用フィクスチャに関するものであり、具体的には、ポータブル電子デバイスのデモンストレーションを行うための電子製品デモンストレーション用フィクスチャに関するものである。
【背景技術】
【０００３】
小売客は、購入を検討している電子デバイスを取り扱い、操作し、及び検査することを重視することが多い。伝統的に、店舗内の看板及び製品デモンストレーション用フィクスチャは、潜在顧客に対して電子デバイスの購入を促すために、その電子デバイスの特徴及び機能セットのうち、選ばれたものを宣伝する。
【０００４】
多くの場合、店舗内で宣伝された特徴は、販売用に用意された特定の電子デバイスに備わっている特徴のうちの限られた一部だけを表し得るため、特定の潜在顧客の購入意思決定と関連のある最も魅力的な特徴ではない場合が多い。そのため、多くの小売店が、いくつかの電子デバイスを顧客向けの店舗内デモンストレーション用にして、潜在顧客がその電子デバイスを取り扱い、操作し、検査することができるようにしている。
【０００５】
多くの実施例において、店舗内デモンストレーション用デバイスは、盗難の防止又は抑止のためにセキュリティストラップを用いてフィクスチャに装着され得る。例えば、電子ディスプレイテーブル恒久的に接着された金属ケーブルが、店舗内デモンストレーション用デバイスに恒久的に取り付けられ得る。多くの場合、このセキュリティストラップは、デモンストレーション体験の効果を損ね得る。この課題は、小型の電子デバイスの場合に特に不都合であり得る。
【０００６】
他の実施例においては、電子デバイスが、他の電子デバイスとの通信を要する特徴を備え得る。例えば、販売用に用意されたＢｌｕｅｔｏｏｔｈ（登録商標）アクセサリが、そのＢｌｕｅｔｏｏｔｈアクセサリの特定機能を操作するのに、携帯電話など別個の電子デバイスを必要とすることがある。これらの特徴は、購入を検討している潜在顧客にデモンストレーションするのに望ましい場合がある。
【０００７】
そのため、電子デバイス向けの改良された電子商品用ディスプレイに対するニーズが存在し得る。
【発明の概要】
【０００８】
本明細書に記載の実施形態は、販売用に用意されたポータブル電子デバイスの店舗内デモンストレーションを支援するための電子商品用ディスプレイに関し得るか、含み得るか、又はその形態をとり得る。特定の実施形態は、ベース部と展示部とを含み得る。（昇降型アタッチメント又はフィクスチャであり得る、又はそれらを含む）展示部は、ポータブル電子デバイスを、店舗内デモンストレーションに適した位置及び向きでベース部に機械的に固定するように適合され得る。ベース部は、販売用に用意されたポータブル電子デバイスに関連する購入情報を宣伝するように構成された電子ディスプレイを備え得る。この電子ディスプレイは、販売用に用意されたポータブル電子デバイスとのシミュレートされた対話を提供するように更に構成され得る。多くの実施形態において、シミュレートされた又は実際の対話は、物理ケーブル又は他の有線接続を経由して行われ得る。
【０００９】
本明細書に記載のいくつかの実施形態は、販売用に用意されたポータブル電子デバイスの店舗内デモンストレーションを支援するためのバッテリ駆動型電子商品用ディスプレイにも関するか、含む、又はその形態をとり得る。関連実施形態は、ベース部内にあり、電子ディスプレイ及び販売用に用意されたポータブル電子デバイスに電力を供給するように構成された補助バッテリを含み得る。多くの実施形態において、バッテリ駆動型電子商品用ディスプレイは、再充電を必要とせずに小売店の営業時間中常時稼働するように適合され得る。例えば、このバッテリ駆動型電子商品用ディスプレイは、一実施形態において、再充電することなく１４時間にわたって稼働するように適合され得る。
【００１０】
本明細書に記載のいくつかの実施形態は、筐体に対してカバーガラスを位置付け、取り付ける方法にも関連し得るか、含み得る、又はその形態をとり得る。この方法は、カバーガラスを筐体の上に位置付け、カバーガラス及び筐体が少なくとも１つの縁部に沿って面一となるように整合アジャスタを調整し、整合アジャスタを所定の場所にロックする動作を含み得る。
【００１１】
本明細書に記載のいくつかの実施形態は、製品デモンストレーション用フィクスチャ上で第１の電子デバイスを第２の電子デバイスと交換する方法にも関連し得るか、含み得る、又はその形態をとり得る。この方法は、ベース部筐体から足部を取り外し、ベース部から第１の昇降型アタッチメントの連結を解除し、ベース部から第１の昇降型アタッチメントを取り外し、昇降型アタッチメント及びベース部からデータケーブルの連結を解除し、交換用昇降型アタッチメントを挿入して交換用展示部分にベース部のデータケーブルを連結し、ベース部に交換用昇降型アタッチメントを連結し、ベース部に足部を再接着する動作を含み得る。
【００１２】
本明細書に記載のいくつかの実施形態は、販売用に用意された電子デバイスを提示する方法にも関連し得る、かかる方法を含み得る、又はかかる方法の形態をとり得る。この方法は、電子ディスプレイを含むベース部にポータブル電子デバイスを取り付け、電子デバイスにベース部を通信可能に連結し、電子デバイスと電子ディスプレイ上でシミュレーションされたポータブル電子デバイスとの間でのシミュレートされた対話を提供する動作を含み得る。
【００１３】
以下、添付の図面に例示された代表的な実施形態について言及する。以下の説明は、実施形態を１つの好適な実施形態に限定することを意図していないものと理解されるべきである。それとは対照的に、添付の特許請求の範囲により定義されるような、記載された実施形態の趣旨及び範囲内に含まれ得る変形、修正及び均等物を網羅することが意図されている。
【図面の簡単な説明】
【００１４】
【図１】ポータブル電子デバイスを展示し、アンカーするための例示的な製品デモンストレーションフィクスチャの正面斜視図を示す。
【図２】図１の例示的な製品デモンストレーションフィクスチャの側面図を示す。
【図３】線３−３に沿って切り取られた図１の例示的な製品デモンストレーションフィクスチャの分解側面図を示す。
【図４】ポータブル電子デバイスを展示し、アンカーするための電子製品デモンストレーションフィクスチャ例の例示的な信号フロー図を示す。
【図５Ａ】ベースの筐体の外面とカバーガラスを面一に位置付けるための整合機能を示す例示的な製品デモンストレーションフィクスチャの一部分の側面図を示す。
【図５Ｂ】ベースの筐体の外面と面一の不整合カバーガラスを位置付けるための２つの整合機能を示す例示的な製品デモンストレーションフィクスチャの一部分の底面図を示す。
【図５Ｃ】ベースの筐体の外面とカバーガラスを面一に位置付けるための２つの整合機能を示す例示的な製品デモンストレーションフィクスチャの一部分の底面図を示す。
【図６】ベースの筐体の外面とカバーガラスを面一に保持するための保持機能を示す例示的な製品デモンストレーションフィクスチャの一部分の側面図を示す。
【図７】代替ポータブル電子デバイスを展示し、アンカーするための例示的な製品デモンストレーションフィクスチャの正面斜視図を示す。
【図８】カバーと筐体とが面一となるようにカバー部分を筐体と整合する方法の例示的なフローチャートを示す。
【図９】製品デモンストレーション用フィクスチャに連結された電子デバイスを交換する方法の例示的なフローチャートを示す。
【図１０】販売用に用意された電子デバイスと、製品デモンストレーション用フィクスチャ内に含まれる、又は製品デモンストレーション用フィクスチャによってシミュレーションされる第２の電子デバイスと、の間での対話をシミュレーションする方法の例示的なフローチャートを示す。
【図１１】販売用に用意された電子デバイスを提示する方法の例示的なフローチャートを示す。
【図１２】製品デモンストレーション用フィクスチャの補助バッテリを充電する方法の例示的なフローチャートを示す。
【図１３】補助バッテリと、製品デモンストレーション用フィクスチャと関連付けられた電子ディスプレイの内蔵バッテリとを充電する方法の例示的なフローチャートを示す。
【図１４】補助バッテリと、製品デモンストレーション用フィクスチャと関連付けられた電子ディスプレイの内蔵バッテリとを放電する方法の例示的なフローチャートを示す。
【００１５】
異なる図における同じ又は類似する参照番号の使用は、類似、関連、又は同一の物品を示している。
【発明を実施するための形態】
【００１６】
本明細書に記載の実施形態は、販売用に用意されたポータブル電子デバイスの店舗内デモンストレーションを支援するための製品デモンストレーション用フィクスチャに関し得るか、かかるフィクスチャを含み得る、又はかかるフィクスチャの形態をとり得る。
【００１７】
特定の実施形態は、ベース部と展示部とを有する製品デモンストレーション用フィクスチャを含む。昇降型アタッチメントは、ポータブル電子デバイスを、店舗内デモンストレーションに適した位置及び向きでベース部に機械的に固定するように適合され得る。例えば、この昇降型アタッチメントは、ポータブル電子デバイスを、電子ディスプレイテーブル付近に立っている潜在顧客による閲覧用に最適化された提示角度に傾け得る。ベース部、展示部、又は電子デバイスが部分反射面を含み得る一実施例において、提示角度は、潜在顧客が自身の反射に気を取られるのを防ぐように選択され得る。
【００１８】
特定の実施形態において、ベース部はカバーを含み得る。このカバーは、例えば、ガラスなど、弾力があって審美性の高い材料から作られ得る。この材料は、少なくとも部分的には、継続的に取り扱う目的で使用されるその材料の１つ以上の特性に基づいて選択され得る。例えば、この材料は、擦り傷、汚れ、又は集塵に対する耐性があり得る。この材料は、少なくとも部分的には、潜在顧客にとって心地よいテクスチャを含むように選択され得る。例えば、特定の実施形態において、この材料は、潜在顧客が指で面を容易かつ快適にスライドさせられるように適合された低摩擦面を含み得る。
【００１９】
他の実施例においては、ユーザがカバーの特定部分に触れないようにするために、高摩擦面が望ましい場合がある。別の実施例においては、その面に置かれたオブジェクトが面に沿って移動するのを防ぐために、高摩擦面が望ましい場合がある。例えば、潜在顧客が、自身の携帯電話をカバー面に沿って置き得る。かかる実施例においては、顧客の電話がカバー面から滑り落ちて床に落ちるのを防ぐことが望ましい場合がある。
【００２０】
このようにして、任意数の好適な材料及び面特徴がカバーに使用され得る。カバーに選択される材料の種類及び質は実施形態によって異なり得ることを理解されたい。
【００２１】
カバーの１つ以上の面に、あるパターンで光不透過性インク層が配設され得る。このインクは、例えば、光に対して不透過でない開口をカバーの面に画定するように配設され得る。この開口は、ベース部内及びカバーの下に位置付けられた電子ディスプレイを区切るサイズにされ得る。このため、かかる開口は、ディスプレイウィンドウと称され得る。
【００２２】
別の実施例においては、インク層が、カバー材料自体の内部で製造された有色ドーパントの代用となり得る、又はかかる有色ドーパントによって補完され得る。例えば、カバーは、部分的に、略、又は全体が不透明となるように有色ドーパントを混合し得る。かかる実施形態において、カバーは、光透過性ディスプレイウィンドウを含むように製造され得る。
【００２３】
多くの実施形態において、ベース部は、カバーの下に位置付けられ、かつディスプレイウィンドウと整合している電子ディスプレイを含み得る。多くの実施例において、電子ディスプレイは、プロセッサと、ディスプレイスタックと、メモリとを少なくとも含み得る。更なる実施例において、電子ディスプレイは、再充電可能なバッテリを含み得る。
【００２４】
いくつかの実施例においては、ディスプレイスタックが、テキスト、グラフィック、画像、アニメーション、映像又は他のグラフィカル要素を潜在顧客に提示するように適合された電子的に制御可能なディスプレイを協調的に提供し得る光透過性材料の１つ以上の層を含み得る。かかるディスプレイは、液晶ディスプレイ（liquid crystal display：ＬＣＤ）技術、発光ダイオード（light emitting diode：ＬＥＤ）技術、有機発光ディスプレイ（organic light-emitting display：ＯＬＥＤ）技術、有機電界発光（organic electroluminescence：ＯＥＬ）技術、又は別の種類のディスプレイ技術を含むが、これらに限定されない任意の好適な技術を使用して具現化され得る。
【００２５】
他の実施例において、このディスプレイスタックは、プロセッサに連結された入力デバイスと関連付けられた１つ以上の層を含み得る。例えば、ディスプレイスタック内に含まれている１つの入力デバイスが、タッチ感知入力デバイスであり得る。このように、ディスプレイスタックは、タッチスクリーンの形態をとり得る。他の実施例において、入力デバイスは、ディスプレイスタックに印加された力を検出するように構成されている力センサであり得る。多くの実施例において、タッチ又は力入力を検出する入力デバイスは、１つより多くのユーザのタッチを検出するように適合され得る。このように、ディスプレイスタックは、１人以上の顧客が電子ディスプレイの様々な部分と同時に対話できるように、マルチタッチセンサを含み得る。
【００２６】
電子ディスプレイは、ディスプレイスタックによって作成されたディスプレイのコンテンツを動的に変更するように構成されたプロセッサも含み得る。多くの実施例において、プロセッサは、マイクロプロセッサ、中央演算装置（ＣＰＵ）、特定用途向け集積回路（ＡＳＩＣ）、デジタル信号プロセッサ（ＤＳＰ）、又はかかるデバイスの組み合わせであり得る。いくつかの実施形態において、プロセッサは、ディスプレイスタックによって作成されたディスプレイのコンテンツを変更するように構成されている複数の別個の電子部品を含む回路であり得る。このように、本明細書に記載のとおり、「プロセッサ」という用語は、電子回路、単一のプロセッサ、複数のプロセッサ、複数の演算装置、又は、ディスプレイスタックによって作成されたディスプレイに対する変更内容に影響を及ぼすように適合されたその他の好適に構成されたコンピューティング要素を網羅することを意図する。
【００２７】
電子ディスプレイは、プロセッサに連結され、プロセッサによって使用可能な電子データを記憶するように適合されたメモリも含み得る。例えば、メモリは、例えば、オーディオ及びビデオファイル、ドキュメント及びアプリケーション、デバイス設定及びユーザプリファレンス、タイミング信号、データ構造又はデータベース、オペレーティングシステム、ファームウェアなどの電気データ又はコンテンツを記憶することができる。メモリは、ランダムアクセスメモリ、読み出し専用メモリ、フラッシュメモリ、磁気メモリ、取り外し可能メモリ、又は他の種類の記憶装置要素、若しくはかかるデバイスの組み合わせなど、任意の種類の非一時的又は一時的メモリとして構成されてもよい。
【００２８】
このように、プロセッサ及びメモリは、協働してディスプレイのコンテンツを動的に変えるように適合され得る。例えば、プロセッサは、メモリに記憶された命令に応じてディスプレイのコンテンツを変更し得る。他の実施例において、プロセッサは、外部信号に応じて電子ディスプレイのコンテンツを変えるように適合され得る。外部信号は、プロセッサにより、赤外線を介して無線で、又は物理ケーブル接続を介して受信され得る。
【００２９】
更なる特定の実施形態において、電子ディスプレイは、ベースの筐体内で組み立てられた時に、少なくとも部分的に自己格納され得る。換言すれば、電子ディスプレイは、ベース部の組み立て時にベース部と完全に一体化されるディスプレイを有する完全自己格納型の電子デバイスであり得る。一例として、電子ディスプレイは、既製のタブレットコンピューティングデバイスであり得る。かかる実施例において、タブレットデバイスは、自身の筐体から取り外され（又は筐体を持たないように他の方法で製造され）得る。そして、ベース部の組み立て時にベース部内で一体化され得る。
【００３０】
更なる実施形態は、取り外し可能な電子ディスプレイを含み得る。例えば、ベース部は、電子ディスプレイを時折取り外し、交換できるように分解し得る。いくつかの実施形態は、製品デモンストレーション用フィクスチャのベース部を分解せずに取り外せる電子ディスプレイを含み得る。例えば、ベース部は、電子ディスプレイが挿入され得るスロット又はトラックを含み得る。その後、電子ディスプレイの交換又は代用が必要とされる、又は所望された場合に、電子ディスプレイが取り外され得る。
【００３１】
そのため、動的に構成可能な製品デモンストレーション用フィクスチャは、ベース部に取り付けられたカバーの下で電子ディスプレイを一時的又は恒久的に一体化することによって形成され得る。このようにして、製品デモンストレーション用フィクスチャは、販売用に用意された電子デバイスの複数の特徴及び構成を宣伝する目的で使用され得る。
【００３２】
これらの実施形態及び関連実施形態において、製品デモンストレーション用フィクスチャは、販売用に用意されたポータブル電子デバイスに関連する購入情報を提供及び提示するように構成され得る。購入情報は、価格、入手性、構成オプション、色、アクセサリ、互換性のあるサードパーティアプリケーション又はデバイスなどを含み得る。製品デモンストレーション用フィクスチャは、購入情報を、画像、テキスト、アニメーション、プレゼンテーション、又はそれらの任意の組み合わせとしてディスプレイ上に提示し得る。多くの実施例において、潜在顧客は、その購入情報と対話し得る。例えば、購入を検討中の顧客であれば、ディスプレイに提示された情報を変更するよう製品デモンストレーション用フィクスチャに命令するために、製品デモンストレーション用フィクスチャに触り得る。
【００３３】
製品デモンストレーション用フィクスチャとの顧客の対話は、少なくとも部分的には、電子ディスプレイのプロセッサによって支援され得る。一実施例において、潜在顧客が価格に関連して更に多くの情報を所望した場合、プロセッサは、その顧客がディスプレイのエリアにタッチするための命令と並び、価格情報もディスプレイ上に提示し得る。その潜在顧客がそのエリアにタッチしたという合図を受信すると、プロセッサは、追加価格情報を製品デモンストレーション用フィクスチャのディスプレイに提示し得る。
【００３４】
多くの実施例において、製品デモンストレーション用フィクスチャによって提示された購入情報は、潜在顧客による対話の有無に関係なく、時折変更され得る。例えば、製品デモンストレーション用フィクスチャは、選択された期間にわたって価格情報を提示した後に切り替わって、製品入手性情報を提示し得る。多くの実施例において、製品デモンストレーション用フィクスチャは、異なる購入情報の提示に移行するにあたり、審美性の高いアニメーションを提供するように適合され得る。
【００３５】
多くの実施形態において、製品デモンストレーション用フィクスチャは、販売用に用意されたポータブル電子デバイスと対話するポータブル電子デバイスを模倣し得る。例えば、販売用に用意されたポータブル電子デバイスは、Ｂｌｕｅｔｏｏｔｈヘッドセットなどのアクセサリデバイスであり得る。本実施例における製品デモンストレーション用フィクスチャは、販売用に用意されたＢｌｕｅｔｏｏｔｈヘッドセットと対話するように適合された携帯電話を模倣し得る。かかる実施例において、購入を検討中の顧客は、携帯電話とＢｌｕｅｔｏｏｔｈアクセサリとの間での複数の対話使用事例を経験することを所望し得る。かかる実施例において、製品デモンストレーション用フィクスチャは、潜在顧客が購入前にアクセサリを携帯電話に接続するプロセスを経験できるように、その携帯電話を再現し得る。他の実施例において、潜在顧客は、通話若しくはテキストメッセージを受信するプロセス実行中の実行中に行われる２つのデバイスの対話、又は任意数の他の可能な対話使用事例を経験することを所望し得る。
【００３６】
製品デモンストレーション用フィクスチャは、複数の電子デバイスとの複数の対話使用事例を模倣する、又は他の方法でシミュレーションするように構成され得る。例えば、購入を検討中の潜在顧客は、電子ディスプレイが模倣する複数の携帯電話を選択でき得る。例えば、購入を検討中のユーザに、製品デモンストレーション用フィクスチャが模倣する電子デバイスを選択するためのメニュー又は他のグラフィカルユーザインタフェースが提示され得る。一実施例において、顧客は、自身が既に慣れ親しんでいる電子デバイスを選択し得る。このようにして、顧客は、販売用に用意されたポータブル電子デバイスの様々な使用事例を購入前にテスト及び検査することができ得る。
【００３７】
上記のとおり、いくつかの実施形態において、電子ディスプレイは、潜在顧客にとって馴染みがあり得る既製の商品であり得る。本実施例において、製品デモンストレーション用フィクスチャは、販売用に用意されたポータブル電子デバイスと対話するように構成されているポータブル電子デバイスを含むため、かかるポータブル電子デバイスを再現又は模倣する必要がない。かかる実施形態において、電子ディスプレイは、対話用に構成された電子デバイスであり、（そのために、かかる電子デバイスをシミュレーションする必要がない）ことから、販売用に用意されたポータブル電子デバイスと直接対話し得る。
【００３８】
電子ディスプレイと販売用に用意されたポータブル電子デバイスとの間での通信を支援するために、特定の実施形態は、製品デモンストレーション用フィクスチャ内に補助コントローラボードを含み得る。この補助コントローラボードは、電子ディスプレイのプロセッサ及び販売用に用意されたポータブル電子デバイスに通信可能に連結され得る。多くの実施形態において、この通信可能な連結は、データケーブルなどの物理接続によるものであり得る。そしていくつかの実施形態においては、Ｂｌｕｅｔｏｏｔｈ、Ｗｉ−Ｆｉ（登録商標）、又は別の無線通信機構などの無線接続によるものであり得る。更なる特定の実施形態において、電子デバイスと補助コントローラボードとの間での通信可能な連結は、無線及び物理接続の組み合わせによるものであり得る。例えば特定の実施形態においては、干渉及び遅延の懸念から、無線接続が不適であり得る。これらの実施例においては、干渉又は遅延が生じない物理接続が好適とされ、無線接続が任意選択的に無効化され得る。
【００３９】
いくつかの実施形態において、製品デモンストレーション用フィクスチャは、電源に連結され得る。補助コントローラボードは、電源から電子ディスプレイ及び販売用に用意されたポータブル電子デバイスへと配電し得る。このようにして、補助コントローラボードは、配電、監視、及び管理という第２の機能を果たし得る。いくつかの実施例において、電源はバッテリであってよく、いくつかの実施形態においては、外部電源であってもよい。多くの実施例において、バッテリは、製品デモンストレーション用フィクスチャのベースの筐体内に格納され得る。
【００４０】
多くの事例において、内蔵バッテリは、製品デモンストレーション用フィクスチャを外部電源に接続することによって再充電される。他の実施例において、製品デモンストレーション用フィクスチャは、内蔵バッテリを含まないことがある。かかる事例において、補助コントローラボードは、外部電源から電力を受け取り、配電し得る。
【００４１】
上記のとおり、製品デモンストレーション用フィクスチャは、販売用に用意されたポータブル電子デバイスの複数の特徴をデモンストレーションするために、小売店によって使用され得る。製品デモンストレーション用フィクスチャのベース内に内蔵バッテリを含む実施形態の場合には、小売店の営業時間分と同等以上の容量を持つ内蔵バッテリが選択され得る。
【００４２】
例えば、内蔵バッテリは、ベース部、電子ディスプレイ、プロセッサ、及び販売用に用意されたポータブル電子デバイスに１２時間から１４時間にわたって電力を提供できるだけの容量であり得る。内蔵バッテリの再充電は、補助コントローラボードによって少なくとも部分的に支援され得る。
【００４３】
上記のとおり、補助コントローラボードは、電子ディスプレイ及び販売用に用意されたポータブル電子デバイスに通信可能に連結され得る。このようにして、電子ディスプレイと販売用に用意されたポータブル電子デバイスとの間での通信が達成され得る。例えば、２つのデバイス間での通信は、顧客が選択した対話使用事例中に行われることが望ましい場合がある。
【００４４】
これらの実施形態は、補助コントローラボードと販売用に用意されたポータブル電子デバイスとの間に連結された細いデータケーブルを含み得る。多くの実施例において、データケーブルは、製品デモンストレーション用フィクスチャの昇降型アタッチメントによって少なくとも部分的に顧客から遮蔽され得る。特定の事例において、データケーブルは、補助コントローラボードを介して、電子ディスプレイを、販売用に用意されたポータブル電子デバイスに通信可能に連結し得る。このようにして、補助コントローラボードは、上記シミュレートされた対話使用事例に関連する通信など、販売用に用意されたポータブル電子デバイスと電子ディスプレイとの間での通信を支援し得る。
【００４５】
一実施例に関して、模倣した携帯電話とＢｌｕｅｔｏｏｔｈアクセサリデバイスとの間での受信通話をシミュレーションするのに、電子ディスプレイは、データケーブルを介してアクセサリに信号を送信し、Ｂｌｕｅｔｏｏｔｈアクセサリに受信通話をシミュレーションするように命令し得る。購入を検討中の潜在顧客がＢｌｕｅｔｏｏｔｈアクセサリと対話してシミュレートされた受信通話を許容する場合、Ｂｌｕｅｔｏｏｔｈアクセサリは、データケーブルを介して信号を電子ディスプレイに返信し、電子ディスプレイに、模倣された携帯電話で許容された受信通話をシミュレーションするように命令し得る。
【００４６】
更なる実施例において、データケーブルは、販売用に用意されたポータブル電子デバイスに電力を提供するようにも適合され得る。多くの実施例において、補助コントローラボードは、データケーブルを介して電子デバイスに電力を提供するように構成され得る。
【００４７】
更なる特定の実施形態は、周知かつ馴染みのあるコネクタをデータケーブルに使用し得る。更にいくつかの実施形態は、同じコネクタを使用して、製品デモンストレーション用フィクスチャ内のすべての回路間接続を提供し得る。例えば、データケーブルは、補助コントローラボードと関連付けられた回路基板に連結するためのオスのユニバーサルシリアルバス（「ＵＳＢ」）コネクタを含み得る。同様に、電子ディスプレイは、オスのＵＳＢコネクタを使用して同じ回路基板に連結し得る。
【００４８】
このようにして、馴染みのあるコネクタにより、小売環境及び製造環境の両方において、組み立て時間の改善並びに修理時間の改善が可能とされ得る。かかる実施例においては、製品デモンストレーション用フィクスチャの組み立てを担う小売店従業員に必要とされる専門知識が大幅に減少する。同様に、小売店従業員が、特定の製品デモンストレーション用フィクスチャと関連付けられた、販売用に用意されたポータブル電子デバイスの交換又は代用を担う場合に、馴染みのあるコネクタにより、小売店従業員が製品デモンストレーション用フィクスチャを組み立て又は分解するのに高度な訓練を要する可能性が低減し得る。
【００４９】
本明細書に記載された実施例は携帯電話及びアクセサリデバイスに関連し得るが、他のシミュレートされた対話も想定されており、実施形態によって異なり得ることが理解されよう。例えば、電子ディスプレイは、タブレットコンピュータ、パーソナルコンピュータ、アクセサリデバイス、携帯情報端末、タブレットコンピュータ、ラップトップコンピュータ、トラックパッド、ウェアラブルデバイス、健康デバイス、スポーツアクセサリデバイス、周辺入力デバイスなどを模倣又はシミュレーションするように構成され得る。
【００５０】
同様に、販売用に提供され、製品デモンストレーション用フィクスチャの昇降型アタッチメントに取り付けられたるポータブル電子デバイスは、タブレットコンピュータ、パーソナルコンピュータ、アクセサリデバイス、携帯情報端末、タブレットコンピュータ、ラップトップコンピュータ、トラックパッド、ウェアラブルデバイス、健康デバイス、スポーツアクセサリデバイス、周辺入力デバイスなどであってもよい。
【００５１】
多くの実施例において、販売用に用意されたポータブル電子デバイスは、展示機能によって製品デモンストレーション用フィクスチャのベースに強固に固定され得る。特定の実施形態において、フィクスチャは、ポータブル電子デバイスを製品デモンストレーション用フィクスチャのベース部に強固に連結し得る。この連結は、任意数の好適な機械的手段によって達成され得る。ポータブル電子デバイスを展示部に装着するのに、例えば、ネジ、ピン、又は接着剤が使用され得る。次に、展示部は、同様の方法でベース部に取り付けられ得る。
【００５２】
特定の実施形態において、昇降型アタッチメントは、ベース部に恒久的に取り付けられ得る。いくつかの実施形態において、昇降型アタッチメントは、ベース部に取り外し可能に取り付けられ得る。かかる実施例においては、昇降型アタッチメントが時折取り外し、代用、又は交換され得る。
【００５３】
更なる実施形態においては、その製品デモンストレーション用フィクスチャが、外部データ接続を含み得る。このデータ接続は、補助コントローラボードに、又は電子ディスプレイ及びポータブル電子デバイスの一方若しくは両方に連結し得る。特定の実施例において、外部データ接続は、接続先のシステムにアップデートを提供し得る。例えば、一実施形態においては、ソフトウェア又はファームウェアアップデートが、外部データ接続を介し、補助コントローラボードを通じて、販売用に用意されたポータブル電子デバイスにプッシュされ得る。このようにして、ディスプレイモデルは、小売購入向けに提供されているポータブル電子デバイスと同じソフトウェアエクスペリエンスを常に含み得る。
【００５４】
他の実施例において、外部データ接続は、電子ディスプレイのメモリによって記憶された情報を更新するように適合され得る。例えば、特定の事例において、外部データ接続は、価格についての最新情報、最新の販売情報、入手性についての最新情報、又は宣伝材料全般についての最新情報を電子ディスプレイに提供し得る。他の事例において、外部データ接続は、ファームウェア、ソフトウェア、又はオペレーティングシステムのアップデートを電子ディスプレイに提供し得る。このようにして、小売店は、各々の製品デモンストレーション用フィクスチャを更新して、同じコンテンツ及びソフトウェアを含み得る。
【００５５】
いくつかの実施形態において、製品デモンストレーション用フィクスチャは、Ｂｌｕｅｔｏｏｔｈ又はＷｉ−Ｆｉなどの無線接続を介して外部データソースに接続し得る。他の実施例において、製品デモンストレーション用フィクスチャは、ＵＳＢ接続などの物理接続を介して外部データソースに接続し得る。
【００５６】
本明細書に記載の製品デモンストレーション用フィクスチャの内部接続の場合と同様、多くの実施形態が、製品デモンストレーション用フィクスチャを外部データソースに接続するために、ＵＳＢコネクタなど馴染みのあるコネクタを含み得る。このようにして、小売店従業員は、単一コネクタで、特別な研修を受けることなく、製品デモンストレーション用フィクスチャ及び販売用に用意されたポータブル電子デバイスを更新することができ得る。
【００５７】
図１はポータブル電子デバイスを展示し、アンカーするための例示的な製品デモンストレーションフィクスチャの正面斜視図を示す。製品デモンストレーション用フィクスチャ１００は、ベース１０２を含む。ベース１０２は、上層及び低層と、カバー１０６と、足１１６とをそれぞれ含み得る。カバー１０６は、弾性を得るために、少なくとも部分的には、選択された材料から作られ得る。カバー１０６は、例えば、ガラスなど、弾力があって審美性の高い材料から作られ得る。この材料は、その材料を継続的に取り扱う目的で使用されることを可能にするその材料の１つ以上の特性に基づいて選択され得る。例えば、この材料は、擦り傷、汚れ、又は集塵に対する耐性があり得る。
【００５８】
多くの実施例において、カバー１０６の１つ以上の面に、あるパターンで光不透過性インク層が配設され得る。このインクは、例えば、光に対して不透過でない開口をカバー１０６の底面に画定するように配設され得る。この開口は、ベース部内及びカバー１０６の下に位置付けられた電子ディスプレイ１０４を区切るサイズにされ得る。このため、かかる開口は、ディスプレイウィンドウと称され得る。
【００５９】
ベース１０２は、足１１６も含み得る。足１１６は、ベース１０２の底面を全体的又は部分的に覆い得る。足１１６は、ベース１０２に取り外し可能に連結され得る。例えば、特定の実施形態において、足１１６は、ベース１０２へと磁気的に引き寄せられ得る。他の実施例において、足１１６は、剥離可能な接着剤で接着され得る。更なる実施例において、足１１６は、ベース１０２内に含まれる特定の表面特徴に関して摩擦嵌合するように適合され得る。
【００６０】
多くの実施例において、足１１６は、低摩擦材料の外部コーティングから作られ得る、又はかかる外部コーティングを含み得る。例えば、特定の実施形態において、ベース１０２は、個々の顧客が製品デモンストレーション用フィクスチャ１００の位置を調整できるように、ディスプレイテーブルに対してスライドするように適合され得る。かかる実施形態においては、足１１６の低摩擦により、ディスプレイテーブルの面全体にわたってスライドしやすくなるように支援され得る。
【００６１】
他の実施例において、足１１６は、高摩擦材料の外部コーティングから作られ得る、又はかかる外部コーティングを含み得る。例えば、特定の実施形態において、ベース１０２は、ディスプレイテーブル上で自身の位置を略保つように適合され得る。他の実施例において、足１１６は、接着又は他の方法でディスプレイテーブルに恒久的に取り付けられ得る。
【００６２】
製品デモンストレーション用フィクスチャ１００は、昇降型アタッチメント１０８も含み得る。昇降型アタッチメント１０８は、保持機構（非図示）によってベース１０２に少なくとも部分的に固定され得る。特定の実施形態において、昇降型アタッチメントは、販売用に用意されたポータブル電子デバイス１１２によって顧客の視野から少なくとも部分的に隠蔽され得る。例えば、特定の実施形態において、ポータブル電子デバイス１１２は、昇降型アタッチメント１０８を全体的又は部分的に隠す隠蔽部分１１０を備え得る。
【００６３】
多くの実施例において、ポータブル電子デバイス１１２は、購入を検討中の顧客が対話し得るディスプレイ１１４を備え得る。
【００６４】
図２は、図１の例示的な製品デモンストレーションフィクスチャ１００の側面図を示す。この図において、昇降型アタッチメント１０８は、略弧形状を有するものとして示されている。昇降型アタッチメント１０８の形状は、各種ポータブル電子デバイス１１２に関して異なり得るものと理解され得る。例えば、特定の実施形態は、鋭角的、円錐形、球形、半球形、矩形、又は他の好適な形状を有する昇降型アタッチメント１０８を含み得る。
【００６５】
多くの実施形態において、昇降型アタッチメント１０８は、耐久性のある金属から構成され得る。更なる実施形態において、昇降型アタッチメント１０８は、アクリル又はガラスなど、光学的に透明な材料から作られ得る。更なる実施形態において、昇降型アタッチメント１０８は、図１に示すとおり、断面３−３において中実であり得る。例えば、いくつかの実施形態において、昇降型アタッチメント１０８は、弧形状の代わりに半円形状をとり得る。いくつかの形状及び材料は、昇降型アタッチメント１０８の特定の実施形態に好適とみなされ得るものと理解され得る。
【００６６】
図３は、線３−３に沿って切り取られた図１の例示的な製品デモンストレーションフィクスチャ１００の分解側面図を示す。この図には、昇降型アタッチメント１０８の固定機構が示されている。例えば、ポータブル電子デバイス１１２は、ピン１１８の挿入を介して隠蔽部分１１０ａ、１１０ｂに装着され得る。このようにして、隠蔽部分１１０ａ、１１０ｂは、ポータブル電子デバイス１１２から横方向に外れないようにされ得る。いくつかの実施形態において、隠蔽部分１１０ａ、１１０ｂは、審美性を改善する、又は他の方法で少なくとも２つのコネクタデータケーブル１２４を隠蔽する目的で提供され得る。いくつかの実施形態において、隠蔽部分１１０ａ、１１０ｂは、ポータブル電子デバイス１１２に関連する付属的特徴として提供され得る。例えば、販売用に用意されたポータブル電子デバイス１１２が血圧モニタである場合、隠蔽部分１１０ａ、１１０ｂは、膨脹可能なアームバンドの部分を表し得る。他の実施例において、ポータブル電子デバイス１１２がインテリジェントペットトラッカーである場合、隠蔽部分１１０ａ、１１０ｂは、首輪の部分を表し得る。
【００６７】
昇降型アタッチメント１０８は、隠蔽部分１１０ａ、１１０ｂ及びピン１１８の下に位置付けられ得る。昇降型アタッチメント１０８は、ネジ１２０などの機械的アタッチメントによってポータブル電子デバイス１１２内に固定され得る。このようにして、昇降型アタッチメント１０８は、ピン１１８及び隠蔽部分１１０ａ、１１０ｂをポータブル電子デバイス１１２に固定し得る。
【００６８】
いくつかの実施形態において、データケーブル１２４は、昇降型アタッチメント１０８と隠蔽部分１１０ａとの間に配設され得る。データケーブル１２４は、ポータブル電子デバイス１１２内に含まれるデータポートと一致するサイズのコネクタを一端に備え得る。例えば、特定の実施形態において、このコネクタは、データポートのいくつかの露出接点と整合するように位置付けられているいくつかのポゴピンを備え得る。そのため、ネジ（単数又は複数）１２０が昇降型アタッチメント１０８を通じてポータブル電子デバイス１１２内に挿入されると、データケーブル１２４は、ポータブル電子デバイス１１２に強固に装着され得ると共に、通信可能に連結され得る。
【００６９】
多くの実施例において、ケーブル１２４は、昇降型アタッチメント１０８と隠蔽部分１１０ａとの間に挟まれるため、顧客の視野から全体が隠され得る。隠蔽部分１１０ａ及び１１０ｂは、いったん挿入されると、ネジ１２２を介して昇降型アタッチメント１０８に固定され得る。
【００７０】
多くの実施例において、隠蔽部分１１０ａ及び１１０ｂは、革又は綿などの有機材料から作られてもよい。他の事例において、隠蔽部分１１０ａ及び１１０ｂは、ナイロン又は別のポリマーなどの合成材料から作られてもよい。更なる実施例において、隠蔽部分１１０ａ及び１１０ｂは、金属などの無機材料から作られてもよい。図示されているようないくつかの実施例において、隠蔽部分１１０ａ及び１１０ｂは、互いに分離していてもよい。他の実施例において、隠蔽部分１１０ａ及び１１０ｂは、一体型要素として形成され、ループの一部分を形成してもよい。これらの事例において、隠蔽部分１１０ａ及び１１０ｂは、製品デモンストレーション用フィクスチャ１００内へと延在してもよい。
【００７１】
ポータブル電子デバイス１１２、隠蔽部分１１０ａ及び１１０ｂ、データケーブル１２４、並びに昇降型アタッチメント１０８は、強固な商品アセンブリ２００として組み立てられ得る。
【００７２】
多くの実施例において、強固な商品アセンブリ２００は、電子デバイス１１２が製品デモンストレーション用フィクスチャ１００に対して移動しないように強固に組み立てることができる。ただし、他の実施例において、強固な商品アセンブリ２００は、電子デバイス１１２が製品デモンストレーション時に特に移動できるように、移動許容度を持たせて組み立てることができる。例えば、いくつかの実施形態において、電子デバイス１１２は、電子デバイス１１２のユーザに触覚フィードバックを提供するのに好適な触覚フィードバック要素を含み得る。これらの実施例において、強固な商品アセンブリ２００は、デバイスが電子デバイス１１２の触覚フィードバック機能のデモンストレーション中に移動できるように組み立てることができる。
【００７３】
強固な商品アセンブリ２００は、ユニットとして、２つの開口１０６ａ及び１０６ｂを通じてカバー１０６に挿通され得る。開口１０６ａ、１０６ｂは、強固な商品アセンブリ２００の底部を受容するサイズにされ得る。強固な商品アセンブリ２００は、いったんカバー開口に挿入されると、ベース１０２の筐体（非図示）にねじ留めされ得る、又はカバーフレーム１３４の一部分内にねじ込められ得る。カバーフレーム１３４は、接着剤でカバー１０６に接着され得る。カバーフレーム１３４は、例えば、ネジ、接着剤、又はこれらの組み合わせなど、任意の好適な手段を使用してベース１０２の筐体に取り付けられ得る。
【００７４】
ベース１０２は、補助コントローラボード１２８に通信可能に連結され得る電子ディスプレイ１０４を含み得る。補助コントローラボード１２８は、データケーブル１２４を介して電力及びデータの両方をポータブル電子デバイス１１２に提供する役割を担い得る。同様に、補助コントローラボード１２８は、電力及びデータの両方をディスプレイ１０４に提供する役割を担い得る。
【００７５】
いくつかの実施形態において、ベース１０２は、バッテリパックなどの内部電源１３０ａを含み得る。多くの実施例において、バッテリパックは、各々が再充電可能なバッテリであり得る１つより多くの個別バッテリを含み得る。任意選択的に内部電源１３０ａを外部電源１３０ｂに連結することにより、内部電源１３０ａが再充電され得る。
【００７６】
更なる特定の実施例において、補助コントローラボード１２８は、内部電源１３０ａの充電を支援、制御、又は他の方法で管理し得る。例えば、補助コントローラボード１２８は、全セルで均一な充電が達成されるように、内部電源１３０ａの各々の個々のバッテリパックの個々のセルの電圧を監視し得る。多くの実施例において、補助コントローラボード１２８を、各々の個々のバッテリセルと関連付けられたバッテリ管理ユニットに通信可能に連結することにより、補助コントローラボード１２８による監視が達成され得る。
【００７７】
補助コントローラボード１２８は、外部データソース１３２に任意選択的に連結され得る。外部データソース１３２は、補助コントローラボード１２８に、又は電子ディスプレイ１０４及びポータブル電子デバイス１１２の一方若しくは両方に連結し得る。特定の実施例において、外部データソース１３２は、接続先のシステムにアップデートを提供し得る。例えば、一実施形態においては、ソフトウェア又はファームウェアアップデートが、外部データソース１３２を介し、補助コントローラボード１２８を通じてポータブル電子デバイス１１２にプッシュされ得る。このようにして、ディスプレイモデルが、小売購入向けに提供されているポータブル電子デバイスと同じソフトウェアエクスペリエンスを常に含み得る。
【００７８】
他の実施例において、外部データソース１３２は、電子ディスプレイ１０４のメモリによって記憶された情報を更新するように適合され得る。例えば、特定の事例において、外部データソース１３２は、価格についての最新情報、最新の販売情報、入手性についての最新情報、又は宣伝材料全般の最新情報を電子ディスプレイに提供し得る。他の事例において、外部データソース１３２は、ファームウェア、ソフトウェア、又はオペレーティングシステムのアップデートを電子ディスプレイ１０４に提供し得る。このようにして、小売店は、各々の製品デモンストレーション用フィクスチャを更新して、同じコンテンツ及びソフトウェアを含み得る。
【００７９】
いくつかの実施形態において、補助コントローラボード１２８は、Ｂｌｕｅｔｏｏｔｈ又はＷｉ−Ｆｉなどの無線接続を介して外部データソース１３２に接続し得る。他の実施例において、補助コントローラボード１２８は、ＵＳＢ接続などの物理接続を介して外部データソース１３２に接続し得る。
【００８０】
多くの実施形態において、電子ディスプレイ１０４、ポータブル電子デバイス１１２、データケーブル１２４、補助コントローラボード１２８、及び内部電源１３０ａ間ベース１０２内のいくつかの電気通信接続は、周知かつ馴染みのあるコネクタをデータケーブルとして使用し得る。例えば、データケーブル１２４は、補助コントローラボード１２８と関連付けられた回路基板を連結するためのオスのＵＳＢコネクタを備え得る。同様に、電子ディスプレイ１０４は、オスのＵＳＢコネクタを使用して同じ回路基板に連結し得る。
【００８１】
足１１６は、ベース１０２の下に位置付けられ得る。足１１６は、ベース１０２の底面１０２ａに機械的に接着し得る。多くの実施例において、足１１６は、外部データソース１３２への接続を少なくとも部分的に隠蔽し得る。例えば、外部データソース１３２への接続は、顧客の目に触れることが好ましくないデータポートを含み得る。そのため、特定の実施形態において、かかるデータポートは、ベース１０２の底面１０２ａ上に位置付けられ得る。
【００８２】
図４は、ポータブル電子デバイスを展示し、アンカーするための製品デモンストレーション用フィクスチャの例示的な信号フロー図を示す。この信号流れ図には、製品デモンストレーション用フィクスチャの種々の構成要素間の対話が示されている。例えば、電子ディスプレイ１０４は、メモリ１０４−４、電源１０４−１０、及び入力／出力機構１０４−８に連結されているプロセッサ１０４−２に連結されたディスプレイユニット１０４−６を含み得る。
【００８３】
同様に、ポータブル電子デバイス１１２は、メモリ１１２−４、電源１１２−１０、及び入力／出力機構１１２−８に連結されているプロセッサ１１２−２に連結されたディスプレイユニット１１２−６を含み得る。
【００８４】
補助コントローラボード１２８は、メモリ１２８−４、電源１２８−１０、及び入力／出力機構１２８−８に連結されているプロセッサ１２８−２を同様に含み得る。いくつかの実施形態において、電源１２８−１０は、外部電源４０２に連結され得る。外部電源４０２は、電源トランス又は電源コンセントに対する外部バッテリ又は外部接続であり得る。特定の実施例において、外部電源４０２に対する外部接続は、例えば、樽形コネクタ又は磁気吸引型ポゴピンコネクタといった標準的な電源コネクタによって作成され得る。
【００８５】
加えて、内部電源１２８−１０は、ディスプレイ１０４及びポータブル電子デバイス１１２の電源（それぞれ１０４−１０及び１１２−１０）に接続され得る。このようにして、内部電源１２８−１０から内部電源１０４−１０及び１１２−１０へと電力が移送され得る。例えば、内部電源１２８−１０は、内部電源１０４−１０及び１１２−１０を充電するように構成され得る。
【００８６】
別の実施形態において、内部電源１２８−１０は、プロセッサ１１２−２及び１０４−２に直接接続され得る。このようにして、内部電源１２８−１０は、内部電源１０４−１０及び１１２−１０のどちらか又は両方が完全に消耗した場合でも、電子ディスプレイ１１２及びポータブル電子デバイス１１２の両方を稼働させ得る。本実施形態において、内部電源１２８−１０は、補助又はバックアップバッテリとして稼働し得る。
【００８７】
入力／出力機構１２８−８は、電子ディスプレイ１０４及びポータブル電子デバイス１１２の入力／出力機構１０４−８及び１１２−８に連結され得る。いくつかの実施形態において、電子ディスプレイ１０４及びポータブル電子デバイス１１２の入力／出力機構１０４−８及び１１２−８は、互いに直接連結され得る。このようにして、電子ディスプレイ１０４及びポータブル電子デバイス１１２が通信し得る。
【００８８】
図５Ａは、ベース５０２の外面に対する不整合（例えば、面一でない）エリア５０６ａを有するカバー５０６を位置付けるための整合機能５２８を示す、例示的な製品デモンストレーションフィクスチャの一部分の側面図を示す。本実施形態において、整合機能５２８は、カバー５０６の面に固定的に接着され得る。ただし、整合機能５２８はカバー５０６に接着されているが、整合機能５２８は、軸５３０を中心に回転するように構成され得る。軸５３０は、整合機能５２８の中心に位置付けられていない場合がある。このようにして、整合機能５２８は、軸５３０を中心に回転した時に、ベース５０２の筐体に対するカム動作力を提供し得る。このようにして、カバー５０６は、カム動作力に応じてわずかに戻り得る。整合機能５２８の調整により、カバー５０６をベース５０６の外面と慎重に整合することができ得る。
【００８９】
図５Ｂは、不整合カバーガラスを、ベースの筐体の外面と面一に位置付けるための２つの整合機能を示す例示的な製品デモンストレーションフィクスチャの一部分の底面図で、図５Ａの線５Ｂ−５Ｂに沿って切り取られた底面図を示す。本実施形態は、２つの整合機能５２８ａ、５２８ｂを示しており、各々が、回転５３０の軸及び１つの整合基準を示す。図示のとおり、整合機能５２８ｂは、わずかにベース５０２の筐体の方へと回転し得る。このようにして、整合機能５２８ｂに隣接するカバー５０６の不整合エリア５０６ａは、例えば図５Ｃに示すとおり、ベース５０２の筐体の面との面一整合に戻り得る。
【００９０】
図６は、ベースの筐体の外面と面一のカバー６０６を保持するための保持機能を示す例示的な製品デモンストレーションフィクスチャの一部分の側面図を示す。かかる実施形態においては、ネジ６４０が、カバーフレーム６３４内に穿入することにより、カバー６０６をベース６０２の筐体に取り付け得る。ただし、時間が経つと、ネジ６４０は、望ましい締め付けを最終的には失い、カバー６０６を緩め得る。緩んだカバー６０６は、横方向にずれ、ベース６０２の筐体と必ずしも面一でなくなる場合がある。そのため、ネジ６４０は、膨張圧６４４を絶えず提供し得る偏向バネ６４２を備え得る。このようにして、ネジ６４０が緩んだ場合でも、カバー６０６は、筐体６０２にしっかりと連結され、面一な状態を保ち得る。
【００９１】
図７は、携帯電話などの代替ポータブル電子デバイス１１２を展示し、アンカーするための例示的な製品デモンストレーションフィクスチャ１００の正面斜視図を示す。図１に示す実施形態例と同様、製品デモンストレーション用フィクスチャ１００は、ベース１０２を備える。ベース１０２は、上層及び低層と、カバーと、足とをそれぞれ含み得る。ポータブル電子デバイス１１２は、昇降型アタッチメント１０８によって製品デモンストレーション用フィクスチャ１００に強固に取り付けられ得る。昇降型アタッチメント内には、製品デモンストレーション用フィクスチャ１００とポータブル電子デバイス１１２との間でデータを転送するためのデータケーブルが含まれ得る。
【００９２】
図８は、カバーと筐体とが面一となるようにカバー部分を筐体と整合する方法の例示的なフローチャートを示す。この方法は、カバーが筐体の上に位置付けられ得るステップ８００から始まり得る。その後８０２で、カバー及びベースが面一となるように複数の整合アジャスタが調整され得る。最後に８０４で、いくつかの整合アジャスタが所定の位置にロックされ得る。このようにして、カバーは、カバーと筐体との間の関係の動作寿命にわたり、横方向にずれないようにされ得る。
【００９３】
図９は、製品デモンストレーション用フィクスチャに連結された電子デバイスを交換する方法の例示的なフローチャートを示す。この方法は、ベースと関連付けられた足部が取り外され得るステップ９００から始まり得る。例えば、足部は、接着され得る、又は磁気吸引を介して別の方法でベースに装着され得る。足部が取り外されると、商品アセンブリは、ステップ９０２でベースから連結解除され得る。多くの実施例において、商品アセンブリをベースに取り付けている１つ以上のネジを緩めることにより、商品アセンブリの取り外しが達成され得る。次にステップ９０４で、連結解除された商品アセンブリがベースから取り外され得る。次にステップ９０６で、第１の商品アセンブリによって空けられた空間内に交換用商品アセンブリが挿入され得る。その後、交換用商品アセンブリは、９０８でベース筐体に連結され得る。最後に９１０で、足部が再び装着され得る。
【００９４】
図１０は、販売用に用意された電子デバイスと、製品デモンストレーション用フィクスチャ内に含まれる、又は製品デモンストレーション用フィクスチャによってシミュレーションされる第２の電子デバイスと、の間での対話をシミュレーションする方法の例示的なフローチャートを示す。この方法は、製品デモンストレーション用フィクスチャと販売用に用意されたポータブル電子デバイスとの間での対話イベントが判定されるステップ１０００から始まり得る。この対話イベントは、この２つのデバイス間での例示的な対話のシミュレーションであり得る。次にステップ１００２で、ポータブル電子デバイスに、特定の対話イベントが所望されるとの合図が送信され得る。このようにして、ポータブル電子デバイスは、自身の対話イベントの一部分をデモンストレーションし得る。この方法は、製品デモンストレーション用フィクスチャが自身の対話イベントの一部分をデモンストレーションし得る１００４で終結し得る。
【００９５】
図１１は、販売用に用意された電子デバイスを提示する方法の例示的なフローチャートを示す。この方法は、１１００において、ポータブル電子デバイスを製品デモンストレーション用フィクスチャのベース部に取り付けることによって始まり得る。次に、１１０２で、製品デモンストレーション用フィクスチャのベース部と、１１００で製品デモンストレーション用フィクスチャのベース部に取り付けられたポータブル電子デバイスと、の間でデータケーブルが連結され得る。この方法は、店舗内広告アプリケーションが開始される１１０４で完了し得る。一実施例に関しては、事前に記録された映像又はプレゼンテーションが、製品デモンストレーション用フィクスチャにおいて再生を開始し得る。
【００９６】
図１２は製品デモンストレーション用フィクスチャの補助バッテリを充電する方法の例示的なフローチャートを示す。この方法は、いくつかのバッテリパックの各々内の各バッテリセルの電圧又は電流容量が判定され得る１２００から始まり得る。例えば、特定の実施形態においては、１つより多くのバッテリセルを有する１つより多くのバッテリパックが製品デモンストレーション用フィクスチャ内に含まれ得る。バッテリパックに連結されたプロセッサは、含まれるバッテリによって提示された電圧を測定するように構成され得る。このようにして、いくつかのバッテリの充電及び装填の両方がインテリジェントに分散されて、個々のセルに対する自己損傷を防ぎ得る。
【００９７】
多くの実施例において、プロセッサは、個々のセルが他のセルよりも高速又は低速で充電される必要があることを判定し得る。そのため、プロセッサは、測定された電圧に応じて、ステップ１２０２で、いくつかのセルの各々に対する再充電電力を変更し得る。これらの実施例においては、セルごとの充電及び放電制御により、製品デモンストレーション内に含まれるバッテリパックの全体容量が向上し得る。特定の実施形態において、製品デモンストレーション用フィクスチャは、１４時間以上にわたる連続稼働向けに構成され得る。このプロセスは、１２０４で充電サイクルを継続することによるステップ１２０２の調整後に終結し得る。
【００９８】
図１３は補助バッテリと、製品デモンストレーション用フィクスチャと関連付けられた電子ディスプレイの内蔵バッテリとを充電する方法の例示的なフローチャートを示す。ここに記載される或る実施形態は、電子ディスプレイと、補助コントローラと、販売用に用意されたポータブル電子デバイスと、を含む製品デモンストレーション用フィクスチャに関係する。補助コントローラは、電子ディスプレイ及び販売用に用意されたポータブル電子デバイスの両方を稼働させる目的で使用され得るバッテリパックを含み得る。他の実施例においては、電子ディスプレイ及びポータブル電子デバイスの両方が、バッテリも含み得る。
【００９９】
これらの事例においては、少なくとも３つのバッテリが製品デモンストレーション用フィクスチャ内に存在し得る。かかる実施例においては、一度に１つのバッテリを充電することが望ましい場合がある。例えば、特定の実施形態において、電子ディスプレイ内に含まれるバッテリは、ステップ１３００で充電され得る。電子ディスプレイのバッテリが満充電されたと判定されると、１３０２で、販売用に用意されたポータブル電子デバイスのバッテリが充電され得る。販売用に用意されたポータブル電子デバイスのバッテリが充電されたと判定されると、その後１３０４で補助バッテリが充電され得る。補助バッテリの充電中、電子ディスプレイ及び販売用に用意されたポータブル電子デバイスのバッテリは、自己放電の速度でトリクル充電され得る。このようにして、製品販売用フィクスチャが満充電され得る。
【０１００】
多くの実施例において、製品販売用フィクスチャは、フィクスチャを主電源（例えば、コンセント）に接続することによって充電され得る。特定の実施形態において、フィクスチャを主電源に接続することは、有線充電接続を使用して達成され得る。例えば、製品販売用フィクスチャは、電力アダプタ又は樽形コネクタなどのコネクタを受ける充電用コンセントを備え得る。多くの実施形態において、このコンセントは、カバーによって潜在顧客から隠され得る。特定の事例において、カバーは、コンセント内に収まり、製品販売用フィクスチャの外側筐体と面一となるサイズにされ得る。
【０１０１】
いくつかの実施形態において、コンセントは、製品販売用フィクスチャの取り外し可能な足の下に含まれ得る。本明細書に開示されたいくつかの実施形態と絡めて記載しているとおり、取り外し可能な足は、製品販売用フィクスチャの底面に接着され得る。足部は、取り外し可能となるように、磁気吸引によって接着され得る。足部を取り外すと、充電用コンセントが露出し得る。
【０１０２】
更なる実施形態において、充電用コンセントは、樽形コネクタとは別のコネクタタイプであり得る。例えば、充電用コンセントは、小売環境内で共通のコネクタタイプであり得る。例えば、ラップトップコンピュータをデモンストレーションするための小売環境は、ラップトップコンピュータを充電するためのいくつかのアダプタを含み得る。かかる実施例において、製品販売用フィクスチャの充電用コンセントは、ラップトップコンピュータを充電するための、使い方が異なるアダプタと互換性があり得る。別の実施例においては、デモンストレーション用小売環境において、ＵＳＢデバイスが、ＵＳＢを介して充電するためのいくつかのアダプタを備え得る。かかる実施例において、製品販売用フィクスチャの充電用コンセントは、ＵＳＢ互換であり得る。上記実施例は、内蔵バッテリを有する製品販売用フィクスチャ内に含まれ得る充電用コンセントのタイプ及びサイズの単なる例に過ぎず、他の充電用コンセント及び方法も想定されることが理解されよう。例えば、特定の実施形態において、製品販売用フィクスチャは、誘導充電を介して、自身の中に格納されている補助バッテリを充填し得る。
【０１０３】
図１４は、補助バッテリと、製品デモンストレーション用フィクスチャと関連付けられた電子ディスプレイの内蔵バッテリとを放電する方法の例示的なフローチャートを示す。図１３と同様、本明細書に記載の特定の実施形態は、電子ディスプレイと、補助コントローラと、販売用に用意されたポータブル電子デバイスとを含む製品デモンストレーション用フィクスチャに関するものである。補助コントローラは、電子ディスプレイ及び販売用に用意されたポータブル電子デバイスの両方を稼働させる目的で使用され得るバッテリパックを含み得る。他の実施例においては、電子ディスプレイ及びポータブル電子デバイスの両方が、バッテリも含み得る。
【０１０４】
多くの場合、電子ディスプレイ内に格納されているバッテリは、補助バッテリ又は販売用に用意されたポータブル電子デバイス内のバッテリとは異なる容量を含み得る。そのため、特定の実施形態は、補助バッテリを放電する前に小さなバッテリを放電し得る。
【０１０５】
例えば、図１４に示すステップ１４００では、補助バッテリが放電される前に電子ディスプレイの内蔵バッテリが放電され得る。例えば、電子デバイスのバッテリが放電されている間、この方法を実行するプロセッサは、１４０２で、電子デバイスのバッテリの現在の電力レベルを周期的に判定し得る。このステップで、プロセッサは、電子デバイスのバッテリの容量が特定の閾値を下回ったかどうかを判定し得る。特定の実施例において、この閾値は、バッテリの満容量の１パーセントであり得る。
【０１０６】
電子ディスプレイのバッテリがこの閾値を下回ると、電子ディスプレイを稼働させるために、１４０４で電子ディスプレイに補助バッテリが連結され得る。多くの実施形態において、補助バッテリは、消耗した電子ディスプレイのバッテリを充電せず、代わりに、電子ディスプレイに電力を直接供給し得る。
【０１０７】
販売用に用意されたポータブル電子デバイスのバッテリと補助バッテリとの間でも同様の方法が用いられ得る。
【０１０８】
以上のとおり、多くの実施形態が開示されているが、本明細書に記載の方法及び技法と絡めて提示された動作は、例示を意図したものであり、したがって全てを網羅してはいないことが理解されよう。特定の実施形態に関しては、代替的なステップ順序又は動作の増減が必要とされ得る、又は称され得ることも更に理解されよう。
【０１０９】
以上の開示は、種々の例示的な実施形態及び実現例に関して述べたが、１つ以上の個々の実施形態で述べた種々の特徴、態様及び機能は、ここに述べた特定の実施形態への適用に限定されるものではなく、むしろ、そのような実施形態が説明されたかどうかに関わらず、及びそのような特徴がここに述べた実施形態の一部分として提示されたかどうかに関わらず、本発明のいくつかの実施形態のうちの１つ以上に対して単独で又は種々の組み合わせで適用できることを理解されたい。したがって、本発明の広さと範囲は、上述した例示的実施形態のいずれによっても限定されず、本明細書で提示された特許請求の範囲によって画定される。
【図１】
0006259133.tif 000002
【図２】
0006259133.tif 000003
【図３】
0006259133.tif 000004
【図４】
0006259133.tif 000005
【図５Ａ】
0006259133.tif 000006
【図５Ｂ】
0006259133.tif 000007
【図５Ｃ】
0006259133.tif 000008
【図６】
0006259133.tif 000009
【図７】
0006259133.tif 000010
【図８】
0006259133.tif 000011
【図９】
0006259133.tif 000012
【図１０】
0006259133.tif 000013
【図１１】
0006259133.tif 000014
【図１２】
0006259133.tif 000015
【図１３】
0006259133.tif 000016
【図１４】
0006259133.tif 000017